(57)【要約】【課題】利用者は専用機器が設置された店舗等に出向くことなく、携帯電話と記録媒体とを対応付けるための登録作業を行うことができ、利用者の利便性を向上させることができるＩＤ管理システムを提供すること。【解決手段】携帯電話６は、記録媒体３，５から媒体識別情報を読み取る読取手段２７と、読取手段２７により読み取った媒体識別情報及び端末識別情報を含む登録情報を作成する登録情報作成手段２５，２８と、電気通信回線網１０を介して登録情報を管理サーバ７に送信する登録情報送信手段３０と、を備え、管理サーバ７は、携帯電話６から受信した登録情報を基に、登録情報に含まれる媒体識別情報と端末識別情報とを互いに対応付けてデータベースに登録する登録手段１３，１４，１５をさらに備える。【選択図】図１
2011154615.tif 000002
【特許請求の範囲】
【請求項１】
読取手段で読取可能な媒体識別情報が付与された記録媒体と、読取手段で読取可能な端末識別情報が付与されるとともに電気通信回線網に接続可能な携帯電話と、前記媒体識別情報と前記端末識別情報とが登録されるデータベースを有するとともに電気通信回線網に接続可能な管理サーバと、を備えるＩＤ管理システムであって、
前記携帯電話は、前記記録媒体から前記媒体識別情報を読み取る読取手段と、該読取手段により読み取った前記媒体識別情報及び前記端末識別情報を含む登録情報を作成する登録情報作成手段と、前記電気通信回線網を介して前記登録情報を前記管理サーバに送信する登録情報送信手段と、を備え、
前記管理サーバは、前記携帯電話から受信した前記登録情報を基に、該登録情報に含まれる前記媒体識別情報と前記端末識別情報とを互いに対応付けて前記データベースに登録する登録手段を備えることを特徴とするＩＤ管理システム。
【請求項２】
前記携帯電話は、該携帯電話及び前記記録媒体の利用者を識別可能な利用者識別情報を該利用者が任意に設定可能な利用者識別情報設定手段をさらに備え、
前記登録情報作成手段は、前記利用者識別情報を含む前記登録情報を作成するとともに、前記登録手段は、該登録情報に含まれる前記媒体識別情報と前記端末識別情報と前記利用者識別情報とを互いに対応付けて前記データベースに登録することを特徴とする請求項１に記載のＩＤ管理システム。
【発明の詳細な説明】
【技術分野】
【０００１】
本発明は、読取手段で読取可能な媒体識別情報が付与された記録媒体と、読取手段で読取可能な端末識別情報が付与されるとともに電気通信回線網に接続可能な携帯電話と、前記媒体識別情報と前記端末識別情報とが登録されるデータベースを有するとともに電気通信回線網に接続可能な管理サーバと、を備えるＩＤ管理システムに関する。
【背景技術】
【０００２】
従来、パチンコ機を設置する遊技店では、遊技客に対してプリペイドカードとしての機能を備える会員カード（記録媒体）を発行し、この会員カードに記録された会員ＩＤ（媒体識別情報）と遊技客が所有する携帯電話内のＩＣカードの製造番号（端末識別情報）とを対応付けて登録することで、会員カード及び携帯電話が有する現金残高を管理する会員管理システム（ＩＤ管理システム）がある。この会員管理システムでは、遊技客が会員登録受付端末に携帯電話をかざすと、会員登録受付端末がリーダライタを介して携帯電話に内蔵されるＩＣチップから製造番号を取得して、遊技客の会員情報を管理する会員管理Ｔ／Ｃ（管理サーバ）に問い合わせて会員ＩＤを割付けし、この会員ＩＤに対応付けて製造番号や遊技客の個人情報が会員管理テーブル（データベース）に登録される。会員となった遊技客は、登録済の携帯電話を通じて遊技店におけるパチンコ機のプレイサービスを利用することができる（例えば、特許文献１参照）。
【０００３】
また、ユーザの携帯電話に記録されている代表ＩＤ（端末識別情報）と会員カード（記録媒体）に記録されている会員ＩＤ（媒体識別情報）とを店舗端末で読み取って会員管理サーバ（管理サーバ）に送信し、代表ＩＤと会員ＩＤとを対応付けてデータベースに登録する会員管理システム（ＩＤ管理システム）がある。ユーザは、会員カードを利用可能な店舗において、会員カードの代わりに携帯電話を提示することで同様のサービスが受けられるようになっている（例えば、特許文献２参照）。
【先行技術文献】
【特許文献】
【０００４】
【特許文献１】特開２００８−２２９０１４号公報（第１１頁、第１図）
【特許文献２】特開２００５−２５８５２８号公報（第９頁、第５図）
【発明の概要】
【発明が解決しようとする課題】
【０００５】
しかしながら、特許文献１及び特許文献２に記載の会員管理システム（ＩＤ管理システム）にあっては、利用者が会員カード（記録媒体）と携帯電話とを対応付けるための登録を行う際に、会員登録受付端末や店舗端末等の専用機器が設置された店舗等で登録作業を行わなければならず、登録を希望する者が多くいる場合には、他の利用者は店内で順番待ちをしなければならないとともに、係員も登録業務に時間をとられてその他の業務が滞ってしまうという問題がある。
【０００６】
本発明は、このような問題点に着目してなされたもので、利用者は専用機器が設置された店舗等に出向くことなく、携帯電話と記録媒体とを対応付けるための登録作業を行うことができ、利用者の利便性を向上させることができるＩＤ管理システムを提供することを目的とする。
【課題を解決するための手段】
【０００７】
前記課題を解決するために、本発明のＩＤ管理システムは、
読取手段で読取可能な媒体識別情報が付与された記録媒体と、読取手段で読取可能な端末識別情報が付与されるとともに電気通信回線網に接続可能な携帯電話と、前記媒体識別情報と前記端末識別情報とが登録されるデータベースを有するとともに電気通信回線網に接続可能な管理サーバと、を備えるＩＤ管理システムであって、
前記携帯電話は、前記記録媒体から前記媒体識別情報を読み取る読取手段と、該読取手段により読み取った前記媒体識別情報及び前記端末識別情報を含む登録情報を作成する登録情報作成手段と、前記電気通信回線網を介して前記登録情報を前記管理サーバに送信する登録情報送信手段と、を備え、
前記管理サーバは、前記携帯電話から受信した前記登録情報を基に、該登録情報に含まれる前記媒体識別情報と前記端末識別情報とを互いに対応付けて前記データベースに登録する登録手段を備えることを特徴としている。
この特徴によれば、記録媒体及び携帯電話の利用者が、予め媒体識別情報と端末識別情報とを対応付けて管理サーバに登録しておくことで、管理サーバは、携帯電話の利用者が記録媒体の所有者であることを特定することができ、利用者は、記録媒体を持ち歩くことなく携帯電話のみを持ち歩くことで、店舗等に対して、記録媒体を提示する場合と同様のサービス等を受けられるようになり、かつ利用者は、携帯電話の読取手段を用いて、記録媒体から媒体識別情報を読み取り、電気通信回線網を介して登録情報を管理サーバに送信することによって、携帯電話と記録媒体とを対応付けるための登録作業を行えるため、店舗等に設置された専用機器の読取手段を使用する必要がなくなり、利用者が各自で登録作業を行うことができ、利用者の利便性を向上させることができる。
【０００８】
本発明のＩＤ管理システムは、
前記携帯電話は、該携帯電話及び前記記録媒体の利用者を識別可能な利用者識別情報を該利用者が任意に設定可能な利用者識別情報設定手段をさらに備え、
前記登録情報作成手段は、前記利用者識別情報を含む前記登録情報を作成するとともに、前記登録手段は、該登録情報に含まれる前記媒体識別情報と前記端末識別情報と前記利用者識別情報とを互いに対応付けて前記データベースに登録することを特徴としている。
この特徴によれば、管理サーバのデータベースには、媒体識別情報及び端末識別情報と、利用者識別情報設定手段により設定された利用者識別情報と、が対応付けて登録されるため、管理サーバは、この利用者識別情報から利用者を特定し、管理サーバのデータベースにおける当該利用者の媒体識別情報等の閲覧や使用をさせたり、記録媒体の媒体識別情報及び携帯電話の端末識別情報の特定を行うことができる。
【図面の簡単な説明】
【０００９】
【図１】ＩＤ管理システムの全体構成を示すシステムブロック図である。
【図２】管理サーバに記憶されているＩＤ管理テーブルを示す図である。
【図３】登録データを登録する際のＩＣカード、携帯電話、管理サーバとの間における各情報の送受状況を示す説明図である。
【図４】学校で登録データを利用する際の携帯電話、カードリーダ端末機、管理サーバとの間における各情報の送受状況を示す説明図である。
【図５】店舗で登録データを利用する際の携帯電話、カードリーダ端末機、管理サーバとの間における各情報の送受状況を示す説明図である。
【発明を実施するための形態】
【００１０】
本発明に係るＩＤ管理システムを実施するための形態を実施例に基づいて以下に説明する。
【実施例】
【００１１】
実施例に係るＩＤ管理システムにつき、図１から図４を参照して説明する。図１の符号１は、本発明の適用されたＩＤ管理システムを示すシステムブロック図である。このＩＤ管理システム１は、学校２に所属する学生に対して発行される学生証３（記録媒体）と、店舗４で会員に対して発行されるポイントカード５（記録媒体）と、学生証３及びポイントカード５を利用する利用者の携帯電話６と、学生証３とポイントカード５と携帯電話６の情報を対応付けて管理する管理サーバ７と、学校２及び店舗４に設置され、後述する学生ＩＤ等を読み取るカードリーダ（図示略）を備えるカードリーダ端末機８，９と、から主に構成されている。
【００１２】
携帯電話６、管理サーバ７及びカードリーダ端末機８，９は、インターネット１０（電気通信回線網）に接続されている。カードリーダ端末機８，９は、学校２または店舗４に設置された管理コンピュータ（図示略）を介してインターネット１０に接続されており、いずれのカードリーダ端末機８，９も管理サーバ７と通信可能になっている。
【００１３】
図１に示すように、管理サーバ７は、液晶表示器等からなる表示部１１と、キーボードやマウス等からなる入力部１２と、学校２の出席回数やポイントカードのポイント残高を管理するＩＤ管理テーブル（データベース）が記憶される記憶部１３と、データ登録や後述するメール送信等の各種制御を行う制御部１４と、携帯電話６及びカードリーダ端末機８，９との間でデータ通信を行うための通信部１５と、を備えている。
【００１４】
学生証３は、非接触型のＩＣカード（ＲＦＩＤカード）となっており、この学生証３に搭載されたＩＣチップ１６には、本発明における媒体識別情報としての学生ＩＤが記憶されている。また、学生証３にはコイルからなるアンテナ１８が内蔵されており、カードリーダ端末機８から発生する磁界に学生証３をかざす（近接させる）と、近接無線通信で学生ＩＤがカードリーダ端末機８に読み取られ、学生ＩＤが管理サーバ７に送信されるようになっている。
【００１５】
ポイントカード５も学生証３と同様の構成をなす非接触型のＩＣカードとなっており、ポイントカード５内のＩＣチップ１７には、本発明における媒体識別情報としての会員ＩＤが記憶されているとともにコイルからなるアンテナ１９が内蔵されており、会員ＩＤはカードリーダ端末機９に読み取られるようになっている。尚、カードリーダ端末機９は、数字ボタン２０を備えており、会員ＩＤとともに入力した数字の情報が管理サーバ７に送信されるようになっている。
【００１６】
図１に示すように、学校２及び店舗４には、カードリーダ端末機８，９が設置されている。利用者が学校２に出席した際に学生証３をカードリーダ端末機８にかざす（近接させる）と、学生ＩＤが管理サーバ７に送信されるようになっており、その学生ＩＤの出席回数（属性情報）は管理サーバ７によって管理されている。
【００１７】
また、利用者が店舗４で商品を購入した際にポイントカード５をカードリーダ端末機９にかざす（近接させる）と、店員が入力したポイントとともに会員ＩＤが管理サーバ７に送信されるようになっており、その会員ＩＤのポイント残高（属性情報）は管理サーバ７によって管理されている。
【００１８】
携帯電話６は、携帯可能な大きさの電話機であり、通話するための受話部２１及び受話部２２と、液晶表示器等からなる表示部２３と、ボタン等からなる入力部２４と、記憶部２５と、カードリーダ端末機８，９と近接無線通信する送受信部２６と、本発明における読取手段としてのカードリーダ２７と、登録データ（登録情報）の作成や送信を制御する制御部２８と、携帯電話基地局２９と無線通信するアンテナ部３０と、を備えている。この携帯電話６は、携帯電話基地局２９を介してインターネット１０に接続され、管理サーバ７と通信可能になっている。また、携帯電話６には、この携帯電話６の電話番号を特定するＳＩＭカード３１が装着されている。
【００１９】
携帯電話基地局２９は、送受信器（図示略）及びアンテナ（図示略）を備えており、携帯電話６は、複数箇所に設置された携帯電話基地局２９のうち、最寄りの携帯電話基地局２９と通信可能になっている。携帯電話基地局２９とインターネット１０との間に設置されたサーバ（図示略）がインターネット標準プロトコルであるＨＴＴＰプロトコルを携帯電話６で使用可能なプロトコルに変換することで、携帯電話６はインターネット１０に接続して管理サーバ７との間でデータをやりとりできるようになっている。また、電子メールの利用及びホームページの閲覧が可能になっている。
【００２０】
携帯電話６が備えるカードリーダ２７は、前述のカードリーダ端末機８，９のカードリーダと同様の構成をなし、学生証３の学生ＩＤ及びポイントカード５の会員ＩＤを読取可能となっている。携帯電話６の利用者は、予め管理サーバ７からアプリケーション（以下、「アプリ」という。）を携帯電話６にダウンロードして実行可能な状態にインストールしておき、このアプリを起動させることによってカードリーダ２７を起動させることができるようになっている。
【００２１】
また、携帯電話６は、学生証３及びポイントカード５と同様に非接触型のＩＣカードとしての機能を有しており、携帯電話６の記憶部２５には、本発明における端末識別情報としての携帯ＩＤが記憶されている。また、ＳＩＭカード３１には、本発明における端末識別情報としてのＳＩＭカードＩＤが記憶されている。カードリーダ端末機８，９に携帯電話６をかざす（近接させる）と、携帯ＩＤ及びＳＩＭカードＩＤがカードリーダ端末機８，９により読み取られ、携帯ＩＤ及びＳＩＭカードＩＤが管理サーバ７に送信されるようになっている。即ち、携帯電話６は、カードリーダ端末機８，９としての機能と、学生証３及びポイントカード５等の非接触型のＩＣカードとしての機能と、を兼ね備えている。
【００２２】
図２に示すように、管理サーバ７に記憶されるＩＤ管理テーブルには、各利用者を個々に識別可能な管理ＩＤに対応付けて、利用者が利用する携帯電話６の携帯ＩＤ、ＳＩＭカード３１のＳＩＭカードＩＤ、利用者が任意に設定するメールアドレス（利用者識別情報）とパスワード（利用者識別情報）、学生証３の学生ＩＤ、学校２の出席回数、ポイントカード５の会員ＩＤ、購入金額に応じて付与されるポイント残高等の情報が記憶されるようになっている。尚、ＩＤ管理テーブルにおいて管理ＩＤは主キーであり、管理ＩＤによってＩＤ管理テーブルのレコードが一意に定まるようになっている。
【００２３】
次に、利用者が所有する携帯電話６を用いて、携帯ＩＤとＳＩＭカードＩＤと学生証３の学生ＩＤとポイントカード５の会員ＩＤを互いに対応付けて管理サーバ７に登録する手順について、図１から図３を参照して説明する。本実施例では、図２に示すＩＤ管理テーブルの管理ＩＤ「６００」のレコードが登録される場合を例に挙げながら説明する。
【００２４】
図３に示すように、利用者が携帯電話６のアプリを起動するとカードリーダ２７が起動され、ＩＣカードのデータ受付状態となる。尚、アプリには、カードリーダ２７の起動停止や登録データの作成及び送信の制御等の制御内容が記述されており、アプリが起動されると、この制御内容に基づいて制御部２８が制御を行うようになっている。
【００２５】
携帯電話６は、カードリーダ２７が起動されると、学生証３の学生ＩＤ、または、ポイントカード５の会員ＩＤのいずれか、若しくはその両方のＩＤを読み取るかを設定する画面が表示部２３に表示され、利用者は、読取対象となるＩＣカードを適宜設定できる。
【００２６】
学生証３の学生ＩＤを読み取る際には、学生証３をかざす（近接させる）ように指示する内容が携帯電話６の表示部２３に表示され、カードリーダ２７がＩＣカードのデータ受付状態であることが利用者に報知される。利用者が携帯電話６に学生証３をかざす（近接させる）と、携帯電話６のカードリーダ２７は学生証３の学生ＩＤ「ＧＩＤ−０６」を読み取り、制御部２８内にあってデータを一時的に格納するためのレジスタ（図示略）に学生ＩＤ「ＧＩＤ−０６」が格納されるようになっている。
【００２７】
尚、ポイントカード５の会員ＩＤを読み取る際も同様に、ポイントカード５をかざす（近接させる）ように指示する内容が携帯電話６の表示部２３に表示され、利用者が携帯電話６にポイントカード５をかざすと、携帯電話６のカードリーダ２７はポイントカード５の会員ＩＤ「ＫＩＤ−０６」を読み取り、レジスタに会員ＩＤ「ＫＩＤ−０６」が格納されるようになっている。
【００２８】
次に、メールアドレス及びパスワードを入力する指示内容が表示部２３に表示され、利用者は、指示に従って入力部２４を操作して携帯電話６のメールアドレス「ｍａｉｌ０６＠＊＊＊」（利用者識別情報）及び４桁のパスワード「１２３４」（利用者識別情報）を入力する。
【００２９】
このとき入力するメールアドレス及びパスワードは利用者が任意に選択して入力できるようになっており、メールアドレスは携帯電話６のメールアドレスでもよいしパソコン（図示略）用のメールアドレスでもよく、利用者を特定できる固有のアドレスまたはパスワードであればよい。
【００３０】
尚、本発明における利用者識別情報設定手段は、利用者が入力操作を行う入力部２４と、利用者が入力した内容が表示される表示部２３と、入力操作や表示操作を制御する制御部２８と、から構成されている。
【００３１】
利用者が登録データの送信を許可する操作（例えば、表示部２３に表示された「送信」ボタンをクリックする等）を行うと、携帯電話６の制御部２８は、記憶部２５から携帯ＩＤ「ＭＢ０６」を読み出すとともに、ＳＩＭカード３１からＳＩＭカードＩＤ「ＳＩＭ０６」を読み出し、携帯ＩＤ「ＭＢ０６」及びＳＩＭカードＩＤ「ＳＩＭ０６」と、入力されたメールアドレス、パスワードと学生証３及びポイントカード５から読み取った学生ＩＤ及び会員ＩＤとを合わせて、管理サーバ７に送信するための登録データ（登録情報）を作成する。
【００３２】
尚、本発明における登録情報作成手段は、携帯ＩＤが記憶される記憶部２５と、ＳＩＭカードＩＤが記憶されるＳＩＭカード３１と、携帯ＩＤやＳＩＭカードＩＤを読み出す制御や各種データを結合する制御等を行う制御部２８と、から構成されている。
【００３３】
そして、携帯電話６はアンテナ部３０（登録情報送信手段）から携帯電話基地局２９を介してインターネット１０に接続し、管理サーバ７に登録データを送信する。尚、登録データを送信する際の通信プロトコルは、ＨＴＴＰプロトコルを用いて送信してもよいし、ＳＭＴＰプロトコルを用いて電子メールで送信するようにしてもよい。
【００３４】
管理サーバ７は、携帯電話６から登録データを受信すると、制御部１４がＩＤ管理テーブルにおける他の登録済レコードと重複しない新規の管理ＩＤ「６００」を付与し、携帯ＩＤ「ＭＢ０６」、ＳＩＭカードＩＤ「ＳＩＭ０６」、メールアドレス「ｍａｉｌ０６＠＊＊＊」、パスワード「１２３４」、学生ＩＤ「ＧＩＤ−０６」、「ＫＩＤ−０６」をＩＤ管理テーブルに登録する。尚、学生ＩＤ「ＧＩＤ−０６」に属する出席回数及び会員ＩＤ「ＫＩＤ−０６」に属するポイント残高にはそれぞれ初期値として「０」が登録される。
【００３５】
尚、本発明における登録手段は、インターネット１０を介してデータ通信を行うための通信部１５と、ＩＤ管理テーブルが記憶される記憶部１３と、ＩＤ管理テーブルに登録データを基に登録する制御を行う制御部１４と、から構成されている。
【００３６】
尚、携帯電話６が管理サーバ７に送信する登録データには、学生ＩＤが学生証３のＩＤ情報であることや、会員ＩＤがポイントカードのＩＤ情報であることを示す情報が付与されており、管理サーバ７の制御部１４は、受信したＩＤ情報が学生ＩＤと会員ＩＤのいずれのＩＤであることを判断して対象の項目に登録できるようになっている。
【００３７】
次に、管理サーバ７は、登録が完了した旨の応答情報を携帯電話６に送信する（登録完了応答）。携帯電話６は、受信した応答情報を基に表示部２３に登録完了の表示をして利用者に登録が完了したことを報知する。
【００３８】
そして、管理サーバ７は、利用者が登録したメールアドレス「ｍａｉｌ０６＠＊＊＊」に対して、利用者が携帯電話６やパソコン（図示略）等で出席回数やポイント残高を閲覧できるウェブサイトのＵＲＬ「ｈｔｔｐ：／／＊＊＊」の情報を含む電子メールを送信する（メール送信）。
【００３９】
本実施例において、メールアドレス「ｍａｉｌ０６＠＊＊＊」は携帯電話６のメールアドレスとなっており、携帯電話６に電子メールが送信される。利用者は、その電子メールに記載されたＵＲＬ「ｈｔｔｐ：／／＊＊＊」にアクセス（ＵＲＬ閲覧要求）して、登録時に入力したメールアドレスとパスワードを入力すると、各利用者の出席回数及びポイント残高を閲覧（閲覧応答）できるようになっている。
【００４０】
詳しくは、携帯電話６が管理サーバ７にウェブサイト「ｈｔｔｐ：／／＊＊＊」のＵＲＬ閲覧要求を行うと、携帯電話６の表示部２３にメールアドレスとパスワードとを入力する指示内容が表示される。利用者は入力部２４を操作し、登録時に設定したメールアドレス「ｍａｉｌ０６＠＊＊＊」とパスワード「１２３４」を入力して管理サーバ７に送信する。
【００４１】
管理サーバ７は、メールアドレス「ｍａｉｌ０６＠＊＊＊」とパスワード「１２３４」を基にＩＤ管理テーブルを検索する。メールアドレス「ｍａｉｌ０６＠＊＊＊」とパスワード「１２３４」の組み合わせを有するレコードが存在すれば利用者であることを特定できる。
【００４２】
この場合には、管理ＩＤ「６００」のレコードが対象のレコードであるので、学生ＩＤ「ＧＩＤ−０６」に対応する出席回数及び会員ＩＤ「ＫＩＤ−０６」に対応するポイント残高の応答情報を携帯電話６に送信し、携帯電話６は受信した応答情報を表示部２３に表示する。これにより、利用者は、学校２の出席回数は「０」、ポイントカードのポイント残高は「６０」であることを閲覧することができる。
【００４３】
このように、利用者は、携帯電話６のカードリーダ２７を用いて非接触型のＩＣカードからなる学生証３及びポイントカード５から学生ＩＤ及び会員ＩＤを読み取り、携帯電話６から登録データを管理サーバ７に送信することによって、携帯電話６と学生証３及びポイントカード５とを対応付けるための登録作業を行えるようになり、利用者は学校２や店舗４に設置されたカードリーダ端末機８，９を使用することなく各自で登録作業を行うことができるため、利用者の利便性を向上させることができる。
【００４４】
また、管理サーバ７のＩＤ管理テーブルに、学生ＩＤ及び会員ＩＤと、利用者が任意に設定するメールアドレスとパスワードと、が対応付けて登録されることによって、管理サーバ７は、メールアドレスとパスワードから利用者を特定してＩＤ管理テーブルにおける利用者の学生ＩＤに属する出席回数及び会員ＩＤに属するポイント残高を、管理サーバ７のウェブサイトを通じて閲覧させたり、利用者を、学生証３の学生ＩＤ、ポイントカード５の会員ＩＤ、または、携帯電話６の携帯ＩＤ、ＳＩＭカード３１のＳＩＭカードＩＤの特定を行うことができる。
【００４５】
そのため、学生証３やポイントカード５や携帯電話６のいずれかを紛失したとしても、メールアドレスとパスワードから利用者を特定することが可能となり、その後に、学生証３やポイントカード５の再発行、または、紛失した携帯電話６の使用停止等の措置を電話会社に通知する非常時対応を即座に行うことができる。
【００４６】
次に、利用者が学校２及び店舗４で学生証３及びポイントカード５の代わりに携帯電話６を使用する際の手順について、図４を参照して説明する。
【００４７】
図４に示すように、利用者が学校２に出席した際にデータ受付状態となっているカードリーダ端末機８に携帯電話６をかざす（近接させる）と、カードリーダ端末機８のカードリーダ（図示略）が携帯電話６の記憶部２５に記憶された携帯ＩＤとＳＩＭカード３１に記憶されたＳＩＭカードＩＤとを制御部２８及び送受信部２６を介して読み取り、携帯ＩＤ及びＳＩＭカードＩＤを管理サーバ７に送信する。
【００４８】
管理サーバ７は、通信部１５を介して受信した携帯ＩＤ及びＳＩＭカードＩＤを基にＩＤ管理テーブルを検索し、携帯ＩＤ及びＳＩＭカードＩＤが登録されているレコードが存在するか否かを判定する。ＩＤ管理テーブルに携帯ＩＤ及びＳＩＭカードＩＤが存在する場合には、携帯ＩＤ及びＳＩＭカードＩＤと対応付けられた学生ＩＤの出席回数を１加算する処理を行う。
【００４９】
例えば、利用者の携帯電話６の携帯ＩＤが「ＭＢ０６」でＳＩＭカードＩＤが「ＳＩＭ０６」の場合には、管理サーバ７は、携帯ＩＤ「ＭＢ０６」及びＳＩＭカードＩＤ「ＳＩＭ０６」を基にＩＤ管理テーブルを検索し、携帯ＩＤ「ＭＢ０６」及びＳＩＭカードＩＤ「ＳＩＭ０６」と対応付けられた学生ＩＤ「ＧＩＤ−０６」に属する出席回数を０から１に更新する。カードリーダ端末機８が読み取った携帯ＩＤ及びＳＩＭカードＩＤが管理サーバ７のＩＤ管理テーブルに存在しない場合には、更新処理を行わずに終了する。
【００５０】
尚、携帯ＩＤ及びＳＩＭカードＩＤが管理サーバ７のＩＤ管理テーブルに存在しない場合に、携帯ＩＤ及びＳＩＭカードＩＤが登録されていない空の管理ＩＤに対して一時的（または恒久的）に学生ＩＤ「ＧＩＤ−０６」を登録し、この学生ＩＤ「ＧＩＤ−０６」に属する出席回数を０から１に更新することもできる。更に尚、携帯ＩＤまたはＳＩＭカードＩＤのいずれか一方が登録されている場合には、その登録された一方のＩＤの管理ＩＤに対して一時的（または恒久的）に学生ＩＤ「ＧＩＤ−０６」を登録し、この学生ＩＤ「ＧＩＤ−０６」に属する出席回数を０から１に更新することもできる。
【００５１】
図５に示すように、利用者が店舗４で商品を購入した際には、店舗４に設置されたカードリーダ端末機９で予め店員が数字ボタン２０を操作して利用者のポイントカードに付与するポイント数や購入金額等を入力をする（付与ポイント受付）。そして、データ受付状態となったカードリーダ端末機９に利用者が携帯電話６をかざす（近接させる）と、カードリーダ端末機９のカードリーダ（図示略）が携帯ＩＤ及びＳＩＭカードＩＤを読み取り、携帯ＩＤ及びＳＩＭカードＩＤとポイント数を管理サーバ７に送信する。
【００５２】
管理サーバ７は、携帯ＩＤ及びＳＩＭカードＩＤを基にＩＤ管理テーブルを検索し、携帯ＩＤ及びＳＩＭカードＩＤが登録されているレコードが存在するか否かを判定する。ＩＤ管理テーブルに携帯ＩＤ及びＳＩＭカードＩＤが存在する場合には、携帯ＩＤ及びＳＩＭカードＩＤと対応付けられた会員ＩＤのポイント残高に、店員が入力したポイントを加算する処理を行う。
【００５３】
例えば、利用者の携帯電話６の携帯ＩＤが「ＭＢ０６」、ＳＩＭカードＩＤが「ＳＩＭ０６」、付与するポイントが１０ポイントである場合には、管理サーバ７は、携帯ＩＤ「ＭＢ０６」及びＳＩＭカードＩＤ「ＳＩＭ０６」と対応付けられている会員ＩＤ「ＫＩＤ−０６」に属するポイント残高を６０から７０に更新する。
【００５４】
尚、カードリーダ端末機９と精算用の端末（図示略）を接続しておき、管理サーバ７は更新処理後に「加算ポイント」や「現在ポイント」等の情報をカードリーダ端末機９に応答する処理を行い、精算用の端末から出力される精算レシート（図示略）にポイント情報を印字するようにしてもよい。更に尚、カードリーダ端末機９と精算用の端末（図示略）との接続は、赤外線通信や短距離無線通信やＵＳＢ接続等の有線通信手段または無線通信手段等により行われる。
【００５５】
また、利用者が学校２及び店舗４でカードリーダ端末機８，９を利用してＩＤ管理テーブルが更新された場合には、管理サーバ７は、その都度登録されている利用者のメールアドレス宛に更新結果や閲覧用のウェブサイトのＵＲＬ等をメール送信を行うようにしてもよい。
【００５６】
ＩＤ管理テーブルの更新の都度、利用者は電子メールを受信することになるので、もし利用者本人に覚えのない更新が行われたときにも他人によって無断で使用されたことを知ることができるとともに、利用者が閲覧用のウェブサイトのＵＲＬを毎回受信するのでＵＲＬを記憶しておく必要がないため利便性がよい。
【００５７】
このように、利用者が予め携帯ＩＤとＳＩＭカードＩＤと学生ＩＤ及び会員ＩＤとを対応付けて管理サーバ７に登録しておけば、利用者は学校２や店舗４に設置されたカードリーダ端末機８，９に携帯電話６を提示することで、学生証３及びポイントカード５の所有者であることが認識され、利用者は学生証３及びポイントカード５を持ち歩くことなく携帯電話のみを持ち歩くことで、学生証３及びポイントカード５を提示する場合と同様に、出席回数の更新やポイント付与サービスを受けられるようになる。
【００５８】
以上、本実施例におけるＩＤ管理システム１は、カードリーダ端末機８，９で読取可能な学生ＩＤ及び会員ＩＤが付与された学生証３及びポイントカード５と、カードリーダ端末機８，９で読取可能な携帯ＩＤ及びＳＩＭカードＩＤが付与されるとともにインターネット１０に接続可能な携帯電話６と、学生ＩＤ、会員ＩＤ、携帯ＩＤ、ＳＩＭカードＩＤ、学生ＩＤに属する出席回数及び会員ＩＤに属するポイント残高と、が登録されるＩＤ管理テーブルを有するとともにインターネット１０に接続可能な管理サーバ７と、を備えるＩＤ管理システムであって、携帯電話６は、学生証３及びポイントカード５から学生ＩＤ及び会員ＩＤを読み取るカードリーダ２７と、カードリーダ２７により読み取った学生ＩＤ及び会員ＩＤ及び携帯ＩＤ及びＳＩＭカードＩＤを含む登録データを作成する記憶部２５及び制御部２８と、インターネット１０を介して登録データを管理サーバ７に送信するアンテナ部３０と、を備え、管理サーバ７は、携帯電話６から受信した登録データを基に、登録データに含まれる学生ＩＤと会員ＩＤと携帯ＩＤとＳＩＭカードＩＤと出席回数とポイント残高とを互いに対応付けてＩＤ管理テーブルに登録する記憶部１３と制御部１４と通信部１５とを備えることで、学生証３、ポイントカード５及び携帯電話６の利用者が、予め学生ＩＤ及び会員ＩＤと携帯ＩＤとＳＩＭカードＩＤとを対応付けて管理サーバ７に登録しておくことで、管理サーバ７は、携帯電話６の利用者が学生証３及びポイントカード５の所有者であることを特定することができ、利用者は、学生証３及びポイントカード５を持ち歩くことなく携帯電話６のみを持ち歩くことで、出席回数及びポイント残高を使用する学校及び店舗に対して、学生証３及びポイントカード５を提示する場合と同様のサービス等を受けられるようになり、かつ利用者は、携帯電話６のカードリーダ２７を用いて、学生証３及びポイントカード５から学生ＩＤ及び会員ＩＤを読み取り、インターネット１０を介して登録データを管理サーバ７に送信することによって、携帯電話６と学生証３及びポイントカード５とを対応付けるための登録作業を行えるため、カードリーダ端末機８，９を使用する必要がなくなり、利用者が各自で登録作業を行うことができ、利用者の利便性を向上させることができる。
【００５９】
また、携帯電話６は、携帯電話６及び学生証３及びポイントカード５の利用者を識別可能なメールアドレス及びパスワードを利用者が任意に設定するための表示部２３と入力部２４と制御部２８とをさらに備え、携帯電話６の記憶部２５と制御部２８とは、メールアドレス及びパスワードを含む登録データを作成するとともに、管理サーバ７の記憶部１３と制御部１４と通信部１５とは、登録データに含まれる学生ＩＤ及び会員ＩＤと携帯ＩＤとＳＩＭカードＩＤと出席回数及びポイント残高とメールアドレス及びパスワードとを互いに対応付けてＩＤ管理テーブルに登録することで、管理サーバ７のＩＤ管理テーブルには、学生ＩＤ及び会員ＩＤ及び携帯ＩＤ及びＳＩＭカードＩＤと、表示部２３と入力部２４と制御部２８とにより設定されたメールアドレス及びパスワードと、が対応付けて登録されるため、管理サーバ７は、このメールアドレス及びパスワードから利用者を特定し、管理サーバ７のＩＤ管理テーブルにおける利用者の学生ＩＤに属する出席回数及び会員ＩＤに属するポイント残高の閲覧や使用をさせたり、学生証３及びポイントカード５の学生ＩＤ及び会員ＩＤ及び携帯電話６の携帯ＩＤ及びＳＩＭカード３１のＳＩＭカードＩＤの特定を行うことができる。
【００６０】
以上、本発明の実施例を図面により説明してきたが、具体的な構成はこれら実施例に限られるものではなく、本発明の要旨を逸脱しない範囲における変更や追加があっても本発明に含まれる。
【００６１】
例えば、前記実施例では、携帯電話６のアプリを利用し、携帯ＩＤとＳＩＭカードＩＤと対応付ける学生ＩＤと会員ＩＤとを一度に管理サーバ７に送信して携帯ＩＤ及びＳＩＭカードＩＤと対応付ける登録作業を行っているが、ＩＤごとに複数回に分けて登録できるようにしてもよい。その場合には２件目以降の登録は、ＩＤ管理テーブルに新規レコードが追加されるようにしてもよいし、携帯ＩＤ及びＳＩＭカードＩＤから登録済の該当レコードを検索して、そのレコードを更新するようにしてもよい。
【００６２】
また、前記実施例では、学生証３及びポイントカード５を携帯電話６と対応付ける登録をしているが、携帯電話６のカードリーダ２７で読取可能なＩＣカードであれば、学生証３やポイントカード５に限ることなくクレジットカード機能やキャッシュカード機能を有するＩＣカードの媒体識別情報を携帯電話６の携帯ＩＤ及びＳＩＭカード３１のＳＩＭカードＩＤと対応付ける登録を行うようにしてもよい。
【００６３】
また、前記実施例では、ＩＤ管理テーブルのみで出席回数やポイント残高を管理するようにしているが、学生管理テーブル、会員管理テーブル等の複数のデータベースをＩＤ管理テーブルに対応付けて使用して、ＩＤ管理テーブルでは、携帯ＩＤ、ＳＩＭカードＩＤ、学生ＩＤ、会員ＩＤ等のＩＤ情報のみを管理し、学生管理テーブルで学生ＩＤの出席回数を管理し、会員管理テーブルで会員ＩＤのポイント残高を管理するようにしてもよい。更に、学生が受講する講義ごとの出席を管理するようにしてもよい。
【００６４】
また、前記実施例では、本発明における読取手段としてのカードリーダ２７が携帯電話６に設けられているが、本発明の読取手段はカードリーダに限ることなく、学生証３やポイントカード５等の記録媒体の表面に印刷された媒体識別情報としてのバーコードを読み取るカメラ等（赤外線カメラ等）の光学読取手段であってもよいし、記録媒体の表面に印字された媒体識別情報としてのシリアルナンバーを読み取るＯＣＲ認識装置等のスキャニング手段であってもよい。
【００６５】
また、前記実施例では、管理サーバ７のＩＤ管理テーブルに登録される端末識別情報として、携帯ＩＤとＳＩＭカードＩＤを用いているが、管理サーバ７のＩＤ管理テーブルに登録される端末識別情報として用いるＩＤは、携帯ＩＤまたはＳＩＭカードＩＤのいずれか一方のＩＤであってもよく、携帯ＩＤのみを管理サーバ７のＩＤ管理テーブルに登録して運用してもよいし、ＳＩＭカードＩＤのみを管理サーバ７のＩＤ管理テーブルに登録して運用してもよい。
【符号の説明】
【００６６】
１                ＩＤ管理システム
２                学校
３                学生証（記録媒体）
４                店舗
５                ポイントカード（記録媒体）
６                携帯電話
７                管理サーバ
８，９            カードリーダ端末機（読取手段）
１０              インターネット
１３              記憶部（登録手段）
１４              制御部（登録手段）
１５              通信部（登録手段）
１６，１７        ＩＣチップ
１８，１９        アンテナ
２３              表示部（利用者識別情報設定手段）
２４              入力部（利用者識別情報設定手段）
２５              記憶部（登録情報作成手段）
２６              送受信部
２７              カードリーダ（読取手段）
２８              制御部（利用者識別情報設定手段，登録情報作成手段）
２９              携帯電話基地局
３０              アンテナ部（登録情報送信手段）
３１              ＳＩＭカード
【図１】
2011154615.tif 000003
【図２】
2011154615.tif 000004
【図３】
2011154615.tif 000005
【図４】
2011154615.tif 000006
【図５】
2011154615.tif 000007